(57)【特許請求の範囲】
【請求項１】
内部を仕切板にて送風室と機械室に分け、前記送風室にはファンおよびファンモーターを備え、前記機械室には圧縮機、冷媒配管等の冷凍サイクル部品を収納し、さらに前記機械室の上方に電装箱を備えた空気調和機の室外機において、前記電装箱は電装部品から発熱された熱を放熱する放熱板と、前記放熱板を取り付けるために設けられるとともに前記電装箱に開口する流入穴を有する放熱板取付板と、前記電装部品の熱を放熱する放熱ダクトとを備え、前記放熱ダクトは、前記電装箱からの放熱を直接外部へ導く第一の開口穴と、前記第一の開口穴からの熱を前記送風室側へ逃がす第二の開口穴とを有し、前記第一の開口穴と前記第二の開口穴と前記流入穴とは、互いに対向するようにようにして配置されるものとし、さらに前記第一の開口穴と前記第二の開口穴と前記流入穴とは、前記室外機の運転時に前記電装箱の内部で発生した熱が、前記流入穴、前記第一の開口穴、前記第二の開口穴の順に通過するようにして配置されるものとし、さらに前記第一の開口穴と前記第二の開口穴と前記流入穴とは直列ではなく交互になるようにしてずらして配置されることを特徴とする空気調和機の室外機。
【請求項２】
前記第一の開口穴と前記第二の開口穴とを円形形状としたことを特徴とする請求項１に記載の空気調和機の室外機。
【発明の詳細な説明】
【技術分野】
【０００１】
本発明は、空気調和機の室外機に使用される電装箱内に配置される放熱板の固定装置に関するものである。
【背景技術】
【０００２】
従来、この種の空気調和機の室外機は機械室内で放出された熱を送風室側へ排出する必要があるが、電装箱内部への水やミストの侵入を防止するために放熱ダクトを備えている（例えば、特許文献１参照）。
【０００３】
図９は、特許文献１に記載された従来の空気調和機の室外機の平面図を示すものである。
また、図１０は従来の空気調和機の室外機の正面図を示すものである。
【０００４】
図９、図１０に示すように、室外機本体１の内部を仕切板２によって、圧縮機３や冷媒配管４等を収納している機械室５と、熱交換器６とファンモーター７に取り付けられたファン８等で構成されている送風室９とに分離されている。
【０００５】
機械室５の上方には室外機本体１の運転を制御するための電装部品１０を収納する電装箱１１を備え、電装箱１１は送風室９側へ突出するように配置されている。
【０００６】
電装箱１１には電装部品１０から発熱された熱を送風室９側へ放熱させるために放熱板１２が設けられ、放熱板１２上部には電装箱１１内部から送風室９側へ放熱された空気を排出するための放熱ダクト１３が備えられている。
【先行技術文献】
【特許文献】
【０００７】
【特許文献１】特開２００５−６９６５３号公報
【発明の概要】
【発明が解決しようとする課題】
【０００８】
しかしながら、前記従来の構成では、放熱ダクトへの大粒の水滴の侵入は防止できるものの、ミストの侵入を完全に防止することは困難であるという課題を有していた。
【０００９】
本発明は、前記従来の課題を解決するもので、放熱効率は低下させずに水やミストの侵入を防止する放熱ダクト構造を有する空気調和機の室外機を提供することを目的とする。
【課題を解決するための手段】
【００１０】
前記従来の課題を解決するために、本発明の空気調和機の室外機は、内部を仕切板にて送風室と機械室に分け、送風室にはファンおよびファンモーターを備え、機械室には圧縮機、冷媒配管等の冷凍サイクル部品を収納し、さらに機械室の上方に電装箱を備えた空気調和機の室外機において、電装箱は電装部品から発熱された熱を放熱する放熱板と、放熱板を取り付けるために設けられるとともに電装箱に開口する流入穴を有する放熱板取付板と、電装部品の熱を放熱する放熱ダクトとを備え、放熱ダクトは、電装箱からの放熱を直接外部へ導く第一の開口穴と、第一の開口穴からの熱を送風室側へ逃がす第二の開口穴と
を有し、第一の開口穴と第二の開口穴と流入穴とは、互いに対向するようにようにして配置されるものとし、さらに第一の開口穴と第二の開口穴と流入穴とは、室外機の運転時に電装箱の内部で発生した熱が、流入穴、第一の開口穴、第二の開口穴の順に通過するようにして配置されるものとし、さらに第一の開口穴と第二の開口穴と流入穴とは直列ではなく交互になるようにしてずらして配置されることにより、ミストが放熱ダクトを経由して電装箱の内部へ侵入することを防止することができる。
【発明の効果】
【００１１】
本発明は、放熱効率は低下させずに水やミストの侵入を防止する放熱ダクト構造を有する空気調和機の室外機を提供することができる。
【図面の簡単な説明】
【００１２】
【図１】本発明の実施の形態１における空気調和機の室外機の平面図
【図２】同実施の形態１における空気調和機の室外機の正面図
【図３】同実施の形態１における空気調和機の室外機の放熱ダクトの断面図
【図４】同実施の形態１における空気調和機の室外機の電装箱斜視図
【図５】同実施の形態１における空気調和機の室外機の電装箱内部斜視図
【図６】本発明の実施の形態２における空気調和機の室外機の電装箱内部斜視図
【図７】本発明の実施の形態３における空気調和機の室外機の電装箱内部斜視図
【図８】同実施の形態３における空気調和機の室外機の電装箱斜視図
【図９】従来の空気調和機の室外機の平面図
【図１０】従来の空気調和機の室外機の正面図
【発明を実施するための形態】
【００１３】
第１の発明の空気調和機の室外機は、内部を仕切板にて送風室と機械室に分け、送風室にはファンおよびファンモーターを備え、機械室には圧縮機、冷媒配管等の冷凍サイクル部品を収納し、さらに機械室の上方に電装箱を備えた空気調和機の室外機において、電装箱は電装部品から発熱された熱を放熱する放熱板と、放熱板を取り付けるために設けられるとともに電装箱に開口する流入穴を有する放熱板取付板と、電装部品の熱を放熱する放熱ダクトとを備え、放熱ダクトは、電装箱からの放熱を直接外部へ導く第一の開口穴と、第一の開口穴からの熱を送風室側へ逃がす第二の開口穴とを有し、第一の開口穴と第二の開口穴と流入穴とは、互いに対向するようにようにして配置されるものとし、さらに第一の開口穴と第二の開口穴と流入穴とは、室外機の運転時に電装箱の内部で発生した熱が、流入穴、第一の開口穴、第二の開口穴の順に通過するようにして配置されるものとし、さらに第一の開口穴と第二の開口穴と流入穴とは直列ではなく交互になるようにしてずらして配置されることにより、ミストが放熱ダクトを経由して電装箱の内部へ侵入することを防止することができる。
【００１４】
第２の発明の空気調和機は、特に第１の発明において、第一の開口穴と第二の開口穴とを円形形状としたことにより、放熱効率を損なうことなく、また簡単な構成でミストの侵入を防止することができる。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の室外機の平面図、図２は同実施の形態１における空気調和機の室外機の正面図、図３は同実施の形態１における空気調和機の室外機の放熱ダクトの断面図、図４は同実施の形態１における空気調和機の室外機の電装箱斜視図、図５は同実施の形態１における空気調和機の室外機の電装箱内部斜視図である。
【００１７】
まず、図１から図５を用いて本実施の形態における空気調和機の室外機の構成について説明する。本実施の形態では、室外機本体１の内部を仕切板２によって圧縮機３や冷媒配管４等を収納している機械室５と、熱交換器６とファンモーター７に取り付けられたファン８等で構成されている送風室９とに分離して構成している。
【００１８】
機械室５の上方には室外機本体１の運転を制御するための電装部品１０を収納する電装箱１１を備え、電装箱１１は前記送風室９側へ突出するように配置されている。
【００１９】
電装箱１１には電装部品１０から発熱された熱を送風室９側へ放熱させるために放熱板
１２が設けられ、放熱板１２上部には電装箱１１内部から送風室９側へ放熱された空気を排出するための放熱ダクト１３が備えられている。
【００２０】
放熱板１２は放熱板取付板１４に取り付けられており、放熱板取付板１４には流入穴１５が設けられている。放熱ダクト１３の電装箱１１が配置されている側には第一の開口穴１６が設けられており、放熱ダクト１３の内部には電装箱１１内部への水浸入防止のため放熱ダクト仕切板１７が備えられている。
【００２１】
放熱ダクト仕切板１７には、第二の開口穴１８が設けられている。また、放熱ダクト１３の底面には放熱穴１９が設けられているものであり、流入穴１５と第一の開口穴１６と第二の開口穴１８と、放熱穴１９が有機的に関連して放熱ダクト１３を構成している。
【００２２】
以上のように構成された空気調和機の室外機について、以下その動作、作用を説明する。
【００２３】
まず、室外機本体１の運転時は、電装箱１１内部で発生した熱が放熱板取付板１４に設けられた流入穴１５を通過し、放熱ダクト１３内部の第一の開口穴１６を通過し、放熱ダクト１３の内部に備えられている放熱ダクト仕切板１７の設けられている第二の開口穴１８を通過後に、放熱ダクト１３の底面に設けられている放熱穴１９から送風室９へ排出される。
【００２４】
逆に、室外機本体１の停止中は雨水やミストが放熱穴１９から侵入し、第二の開口穴１８および第一の開口穴１６を通過し、流入穴１５から電装箱１１内部へ侵入しようとする。雨水は放熱ダクト仕切板１７が設けられていることから電装箱１１内部への侵入を防止することが可能である。
【００２５】
さらに第一の開口穴１６と第二の開口穴１８と流入穴１５が直列に配置されておらず、交互になるよう配置されている。ミスト侵入時に第一の開口穴１６を通過したミストは直線的に侵入し、放熱ダクト１３の壁面に衝突する。
【００２６】
第二の開口穴１８は第一の開口穴１６に直列に配置されていないため、ミストは直接第二の開口穴１８を通過できないため、第一の開口穴１６からのミスト侵入を防ぐことができる。
【００２７】
万一、第一の開口穴１６から多少のミストが侵入しても、第一の開口穴１６と放熱板取付板１４に設けられている流入穴１５は直列に配置されておらず、交互になるよう配置されているため、上記と同様に、流入穴１５からのミストの侵入は防止することができる。
【００２８】
以上のように、本実施の形態においては、電装箱は電装部品から発熱された熱を放熱するため放熱板取付板に固定された放熱板と電装箱内に蓄熱された熱を効率良く送風室側に放出させるための放熱穴と入口部に第一の開口穴を設けた放熱ダクトを備え、放熱ダクト内部に第二の開口穴を設けた水侵入防止用の放熱ダクト仕切板を備え、放熱板取付板に設けられた流入穴と第一の開口穴と前記放熱ダクト仕切板に設けられた第二の開口穴が交互に配置することにより、電装箱内部で発生した熱を放熱効率を下げることなく、ミストの侵入を防止することが可能となる空気調和機の室外機を提供することができる。
【００２９】
（実施の形態２）
図６は、本発明の第２の実施の形態の空気調和機の室外機の電装箱内部斜視図である。図６において、放熱板取付板１４に設けられている流入穴１５が連続配置された小さな長穴形状となっている。流入穴１５の総面積は小さくならないように配置されている。この
ことにより、流入穴１５の個々の開口面積が小さくなることから、流入穴１５から電装箱１１内部へのミストの侵入を防止することができる。
【００３０】
以上のように、本実施の形態においては、放熱板取付板に設けられている流入穴が連続配置された小さな長穴形状となっていることにより、電装箱内部で発生した熱を放熱効率を下げることなく、よりミストの侵入を防止することが可能となる空気調和機の室外機を提供することができる。
【００３１】
（実施の形態３）
図７は、本発明の実施の形態３における空気調和機の室外機の電装箱内部斜視図、図８は本発明の実施の形態３における空気調和機の室外機の電装箱斜視図である。図７および図８において、放熱ダクト仕切板１７に設けられている第一の開口穴１６と放熱ダクト１３に設けられている第二の開口穴１８が連続配置された小さな丸穴形状となっている。
【００３２】
第一の開口穴１６および第二の開口穴１８の総面積は小さくならないように配置されている。このことにより、第一の開口穴１６と第二の開口穴１８の個々の開口面積が小さくなることから、第一の開口穴１６および第二の開口穴１８にミストが侵入しにくくなり、流入穴１５から電装箱１１内部へのミストの侵入を防止することができる。
【００３３】
以上のように、本実施の形態においては、放熱ダクト仕切板に設けられている第一の開口穴と放熱ダクトに設けられている第二の開口穴が連続配置された小さな丸穴形状となっていることにより、電装箱内部で発生した熱を放熱効率を下げることなく、よりミストの侵入を防止することが可能となる空気調和機の室外機を提供することができる。
【産業上の利用可能性】
【００３４】
以上のように、本発明にかかる空気調和機の室外機は、電装箱内部へのミストの侵入を防止することが可能となるので、エアコン以外の屋外設置商品の用途にも適用できる。
【符号の説明】
【００３５】
１  室外機本体
１０  電装部品
１１  電装箱
１２  放熱板
１３  放熱ダクト
１４  放熱板取付板
１５  流入穴
１６  第一の開口穴
１７  放熱ダクト仕切板
１８  第二の開口穴
１９  放熱穴
【図１】
0005482780.tif 000002
【図２】
0005482780.tif 000003
【図３】
0005482780.tif 000004
【図４】
0005482780.tif 000005
【図５】
0005482780.tif 000006
【図６】
0005482780.tif 000007
【図７】
0005482780.tif 000008
【図８】
0005482780.tif 000009
【図９】
0005482780.tif 000010
【図１０】
0005482780.tif 000011